(57)【要約】 【課題】  ガラス板の切断時に発生するガラス屑の効率良い除去等を図る。【解決手段】  吸着テーブル１６にガラス基板Ｐを吸着してガラス基板Ｐの切断予定線Ｌをカッター１２の真上に移動させる。クランプ機構１４によりガラス基板Ｐを把持しつつ、カッター１２を切断予定線Ｌに沿って移動させる。クランプ機構１４を吸引ノッズル１８の方へ回動させてガラス基板Ｐを切断予定線Ｌで切断する。その切断時に発生するガラス屑に対してブローノッズル２０から帯状の気体流を吹き出しつつ、ガラス屑混じりの気体流を吸引ノッズル１８で吸引排出する。【選択図】      図１
2006089325.tif 000002
【特許請求の範囲】
【請求項１】
ガラス板の切断予定線を形成し、形成された切断予定線に切断力を印加して前記ガラス板を前記切断予定線で切断するガラス板切断方法であって、
前記切断予定線から所定距離だけ離れた位置から前記切断予定線に向けて流体を吹き付けつつ、
前記切断予定線に流れる流体を吸引して前記切断で発生するガラス屑を排出することを特徴とするガラス板切断方法。
【請求項２】
前記流体の吹き付け角度は、前記ガラス板に対して所定の角度に設定されることを特徴とする請求項１記載のガラス板切断方法。
【請求項３】
前記所定の角度は、２０乃至４０度の範囲で設定されることを特徴とする請求項１又は２記載のガラス板切断方法。
【請求項４】
前記流体を吹き付ける角度は調整可能であることを特徴とする請求項１、２又は３記載のガラス板切断方法。
【請求項５】
前記流体は帯状に吹き付けられることを特徴とする請求項１、２、３又は４記載のガラス板切断方法。
【請求項６】
前記流体を吸引する位置と前記ガラス板との間隙は調整可能であることを特徴とする請求項１乃至５のいずれか一に記載のガラス板切断方法。
【請求項７】
前記流体を吸引する角度は、前記ガラス板に対して所定の角度に設定されることを特徴とする請求項１乃至６のいずれか一に記載のガラス板切断方法。
【請求項８】
前面ガラス基板及び背面ガラス基板を有するプラズマディスプレイパネルの製造方法であって、
前記プラズマディスプレイパネルの前面ガラス基板又は背面ガラス基板に請求項１乃至７のいずれか一に記載のガラス板切断方法により製造される前記ガラス板を用いることを特徴とするプラズマディスプレイパネルの製造方法。
【請求項９】
プラズマディスプレイパネルを製造する第１工程と、
前記プラズマディスプレイパネルを駆動する回路と共に、前記プラズマディスプレイパネルを１つのモジュールとして製造する第２工程と、
アナログ画像信号の処理をして出力するインタフェースを前記回路に電気的に接続する第３工程を含むプラズマ表示装置の製造方法であって、
前記第１工程に請求項８記載のプラズマディスプレイパネルの製造方法が用いられることを特徴とするプラズマ表示装置の製造方法。
【請求項１０】
ガラス板の切断予定線を形成する形成手段と、該形成手段によって形成された切断予定線に切断力を印加する印加手段とを有して前記ガラス板を前記切断予定線で切断するガラス板切断装置であって、
前記切断予定線から所定距離だけ離れた位置から前記切断予定線に向けて流体を吹き付ける吹き付け手段と、
該吹き付け手段によって吹き付けられ前記切断予定線に流れる流体を吸引する吸引手段と、
該吸引手段によって吸引されるガラス屑混じりの流体を排出する排出手段とを備えることを特徴とするガラス板切断装置。
【請求項１１】
前記吹き付け手段の吹き付け角度は、前記ガラス板に対して所定の角度に設定されることを特徴とする請求項１０記載のガラス板切断装置。
【請求項１２】
前記所定の角度は、２０乃至４０度の範囲で設定されることを特徴とする請求項１０又は１１記載のガラス板切断装置。
【請求項１３】
前記吹き付け手段の吹き付け角度は調整可能であることを特徴とする請求項１０、１１又は１２記載のガラス板切断装置。
【請求項１４】
前記吹き付け手段によって吹き付けられる前記流体は帯状をなしていることを特徴とする請求項１０、１１、１２又は１３記載のガラス板切断装置。
【請求項１５】
前記吸引手段は、吸引ノッズルであり、該吸引ノッズルの吸引位置と前記ガラス板との間隙を調整する間隙調整機構を含むことを特徴とする請求項１０乃至１４のいずれか一に記載のガラス板切断装置。
【請求項１６】
前記吸引ノッズルの吸気室は、前記吸引ノッズルのノッズル口から排気抵抗を所定値に減らすだけ拡がり縮小して形成されることを特徴とする請求項１０乃至１５のいずれか一に記載のガラス板切断装置。
【請求項１７】
前記吸引手段の吸引角度は、前記ガラス板に対して所定の角度に設定されることを特徴とする請求項１０乃至１６のいずれか一に記載のガラス板切断装置。
【請求項１８】
前面ガラス基板及び背面ガラス基板を有するプラズマディスプレイパネルを製造するプラズマディスプレイパネルの製造装置であって、
前面ガラス基板又は背面ガラス基板に前記請求項１０乃至１７のいずれか一に記載のガラス板切断装置により製造される前記ガラス板を用いることを特徴とするプラズマディスプレイパネルの製造装置。
【請求項１９】
プラズマディスプレイパネルを製造するプラズマディスプレイパネルの製造装置と、
前記プラズマディスプレイパネルを駆動する回路と共に、前記プラズマディスプレイパネルを１つのモジュールとして製造するモジュール製造装置と、
アナログ画像信号の処理をして出力するインタフェースを前記回路に電気的に接続するインタフェース製造装置とを有するプラズマ表示装置の製造装置であって、
前記プラズマディスプレイパネルの製造装置に請求項１８記載のプラズマディスプレイパネルの製造装置を用いることを特徴とするプラズマ表示装置の製造装置。
【発明の詳細な説明】
【技術分野】
【０００１】
この発明は、ガラス板切断方法及びその装置、プラズマディスプレイパネルの製造方法及びその装置並びにプラズマ表示装置の製造方法及びその装置に関し、詳しくはガラス板の切断時に発生するガラス屑を効率良く除去するガラス板切断方法及びその装置、そのガラス板を用いるプラズマディスプレイパネルの製造方法及びその装置並びにそのプラズマディスプレイパネルを用いるプラズマ表示装置の製造方法及びその装置に関する。
【背景技術】
【０００２】
近年、映像表示装置の１つとして、プラズマ表示装置（プラズマディスプレイ（ＰＤＰ））の開発が盛んに行われている。
このプラズマ表示装置は、一般に、薄型で大画面表示が比較的に容易にできること、視野角が広いこと、応答速度が速いこと等、数多くの特長を備えているディスプレイである。
【０００３】
プラズマ表示装置は、その表示画面部にプラズマディスプレイパネルが用いられる。このプラズマディスプレイパネルを構成するのにガラス基板が用いられる。
ガラス基板は、１枚ずつ製造されるのではなく、複数のプラズマディスプレイパネル分のガラス基板を大きいガラス板に形成した後に、１個のプラズマディスプレイパネルのガラス基板を切り出し、そのガラス基板をプラズマディスプレイパネルの製造に用いるようにしている。
ガラス基板の各々には、走査電極等の形成物が予め形成されている。
【０００４】
上述のガラス基板の切り出しは、その切断予定線で切断する方法が用いられている。
この方法による１つのガラス基板切断装置には、加熱手段と冷却手段とによって熱応力をガラス基板の切断予定線に沿って印加してその熱応力により亀裂を切断予定線に沿って生じさせ、そして、その亀裂の切断予定線に沿っての進行により、ガラス基板を切断予定線によって切断するというものがある。
このガラス基板切断装置では、切断面をガラス基板の面に垂直で、平面に形成することが困難であるという技術的課題がある。
【０００５】
この技術的課題を解決する手段として、図７及び図８に示すようなガラス基板切断装置を構成することも考えられる。
このガラス基板切断装置は、吸着テーブル１０２でガラス基板１０４を吸着し、そのガラス基板１０４をクランプ機構１０６で把持する。ガラス基板１０４の切断予定線Ｌをカッター１０８の真上に位置させるようにその吸着テーブル１０２及びクランプ機構１０６を移動させる。
この移動後に、カッター１０８を切断予定線Ｌに沿って移動させて切断予定線に溝を形成する。
【０００６】
溝を形成してから、クランプ機構１０６を上方に回動させてガラス基板１０２を切断予定線Ｌで切断する。この切断でガラス屑が大量に発生する。
そして、発生するガラス屑を吸引ノッズル１１０で吸引排気するようにして構成しようとするのが、図７及び図８に示すガラス基板切断装置である。
ここでの吸引ノッズル１１０の排気ダクト口１１２は、ダクトホース１１４を経て集塵部（図示せず）に接続して構成される。
【特許文献１】特開２０００−２８１３７５
【発明の開示】
【発明が解決しようとする課題】
【０００７】
上述したガラス基板切断装置は、そのガラス屑の除去手段を単に吸引ノッズル１１０で構成したたけではその吸気室１１０Ｃの容積が小さいため、排気抵抗が大きいばかりでなく、吸引量に吸引位置によるばらつきがあることから、ガラス基板１０２上に付着したガラス屑の除去につき、期待通りの結果が得られないという技術的課題がある。
また、ガラス基板１０４の切断時に発生するガラス屑が吸引ノッズル１１０とガラス基板１０４との間を通り抜けてガラス基板１０４の形成物上に飛散してしまうという技術的課題がある。
【０００８】
この発明は、上述の事情に鑑みてなされたもので、ガラス板の切断時に発生するガラス屑の効率良い除去及びガラス板上の他の部分への飛散防止を達成し得るガラス板切断方法及びその装置、そのガラス板を用いるプラズマディスプレイパネルの製造方法及びその装置並びにそのプラズマディスプレイパネルを用いるプラズマ表示装置の製造方法及びその装置を提供することを目的としている。
【課題を解決するための手段】
【０００９】
上記課題を解決するために、請求項１記載の発明は、ガラス板の切断予定線を形成し、形成された切断予定線に切断力を印加して上記ガラス板を上記切断予定線で切断するガラス板切断方法に係り、上記切断予定線から所定距離だけ離れた位置から上記切断予定線に向けて流体を吹き付けつつ、上記切断予定線に流れる流体を吸引して上記切断で発生するガラス屑を排出することを特徴としている。
【００１０】
請求項２記載の発明は、請求項１記載のガラス板切断方法に係り、上記流体の吹き付け角度は、上記ガラス板に対して所定の角度に設定されることを特徴としている。
【００１１】
請求項３記載の発明は、請求項１又は２記載のガラス板切断方法に係り、上記所定の角度は、２０乃至４０度の範囲で設定されることを特徴としている。
【００１２】
請求項４記載の発明は、請求項１、２又は３記載のガラス板切断方法に係り、上記流体を吹き付ける角度は調整可能であることを特徴としている。
【００１３】
請求項５記載の発明は、請求項１、２、３又は４記載のガラス板切断方法に係り、上記流体は帯状に吹き付けられることを特徴としている。
【００１４】
請求項６記載の発明は、請求項１乃至５のいずれか一に記載のガラス板切断方法に係り、上記流体を吸引する位置と上記ガラス板との間隙は調整可能であることを特徴としている。
【００１５】
請求項７記載の発明は、請求項１乃至６のいずれか一に記載のガラス板切断方法に係り、上記流体を吸引する角度は、上記ガラス板に対して所定の角度に設定されることを特徴としている。
【００１６】
請求項８記載の発明は、前面ガラス基板又は背面ガラス基板を有するプラズマディスプレイパネルの製造方法に係り、上記プラズマディスプレイパネルの前面ガラス基板又は背面ガラス基板に請求項１乃至７のいずれか一に記載のガラス板切断方法により製造される上記ガラス板を用いることを特徴としている。
【００１７】
請求項９記載の発明は、プラズマディスプレイパネルを製造する第１工程と、上記プラズマディスプレイパネルを駆動する回路と共に、上記プラズマディスプレイパネルを１つのモジュールとして製造する第２工程と、アナログ画像信号の処理をして出力するインタフェースを上記回路に電気的に接続する第３工程を含むプラズマ表示装置の製造方法に係り、上記第１工程に請求項８記載のプラズマディスプレイパネルの製造方法が用いられることを特徴としている。
【００１８】
請求項１０記載の発明は、ガラス板の切断予定線を形成する形成手段と、該形成手段によって形成された切断予定線に切断力を印加する印加手段とを有して上記ガラス板を上記切断予定線で切断するガラス板切断装置に係り、上記切断予定線から所定距離だけ離れた位置から上記切断予定線に向けて流体を吹き付ける吹き付け手段と、該吹き付け手段によって吹き付けられ上記切断予定線に流れる流体を吸引する吸引手段と、該吸引手段によって吸引されるガラス屑混じりの流体を排出する排出手段とを備えることを特徴としている。
【００１９】
請求項１１記載の発明は、請求項１０記載のガラス板切断装置に係り、上記吹き付け手段の吹き付け角度は、上記ガラス板に対して所定の角度に設定されることを特徴としている。
【００２０】
請求項１２記載の発明は、請求項１０又は１１記載のガラス板切断装置に係り、上記所定の角度は、２０乃至４０度の範囲で設定されることを特徴としている。
【００２１】
請求項１３記載の発明は、請求項１０、１１又は１２記載のガラス板切断装置に係り、上記吹き付け手段の吹き付け角度は調整可能であることを特徴としている。
【００２２】
請求項１４記載の発明は、請求項１０、１１、１２又は１３記載のガラス板切断装置に係り、上記吹き付け手段によって吹き付けられる上記流体は帯状をなしていることを特徴としている。
【００２３】
請求項１５記載の発明は、請求項１０乃至１４のいずれか一に記載のガラス板切断装置に係り、上記吸引手段は、吸引ノッズルであり、該吸引ノッズルの吸引位置と上記ガラス板との間隙を調整する間隙調整機構を含むことを特徴としている。
【００２４】
請求項１６記載の発明は、請求項１０乃至１５のいずれか一に記載のガラス板切断装置に係り、上記吸引ノッズルの吸気室は、上記吸引ノッズルのノッズル口から排気抵抗を所定値に減らすだけ拡がり縮小して形成されることを特徴としている。
【００２５】
請求項１７記載の発明は、請求項１０乃至１６のいずれか一に記載のガラス板切断装置に係り、上記吸引手段の吸引角度は、上記ガラス板に対して所定の角度に設定されることを特徴としている。
【００２６】
請求項１８記載の発明は、前面ガラス基板又は背面ガラス基板を有するプラズマディスプレイパネルを製造するプラズマディスプレイパネルの製造装置に係り、前面ガラス基板又は背面ガラス基板に上記請求項１０乃至１７のいずれか一に記載のガラス板切断装置により製造される上記ガラス板を用いることを特徴としている。
【００２７】
請求項１９記載の発明は、プラズマディスプレイパネルを製造するプラズマディスプレイパネルの製造装置と、上記プラズマディスプレイパネルを駆動する回路と共に、上記プラズマディスプレイパネルを１つのモジュールとして製造するモジュール製造装置と、アナログ画像信号の処理をして出力するインタフェースを上記回路に電気的に接続するインタフェース製造装置とを有するプラズマ表示装置の製造装置に係り、上記プラズマディスプレイパネルの製造装置に請求項１８記載のプラズマディスプレイパネルの製造装置を用いることを特徴としている。
【発明の効果】
【００２８】
この発明において、ガラス板に形成された切断予定線に切断力を印加してガラス板を切断予定線で切断する際に、切断予定線から所定距離だけ離れた位置から切断予定線に向けて流体を吹き付けつつ切断予定線に流れるガラス屑混じりの流体を吸引して排出するように構成しているから、ガラス基板の切断の際に発生するガラス屑を効率良く除去し得る。
また、流体を帯状にして吹き付けることにより、ガラス屑に作用する流体のカーテン効果がガラス屑の除去に相乗的に作用するので、ガラス屑のガラス基板の形成物上への飛散の低減度を高めることができる。
【発明を実施するための最良の形態】
【００２９】
この発明は、ガラス板に形成された切断予定線で切断する際に、切断予定線から所定距離だけ離れた位置から切断予定線に向けて流体を帯状に吹き付けつつ切断予定線に流れるガラス屑混じりの流体を吸引して排出するようにして構成される。
【実施例１】
【００３０】
図１は、この発明の実施例１であるプラズマディスプレイパネルの製造に用いるガラス基板切断装置の拡大断面図、図２は、同ガラス基板切断装置の要部の斜視図、また、図３は、同ガラス基板切断装置で用いるブローノズルのノズル角度対残存率を示す図である。
この実施例のプラズマディスプレイパネルの製造に用いるガラス基板の切断装置１は、プラズマディスプレイパネルのガラス基板の折り割りの際に生ずるガラス屑の効率良い除去等を達成する装置に係り、図１及び図２に示すように、カッター１２と、クランプ（吸着パッド）１４と、吸着テーブル１６と、吸引ノッズル１８と、ブローノッズル２０とから構成されている。
【００３１】
カッター１２は、図１の紙面に垂直方向に駆動機構（図示せず）によって移動可能に構成されている。
クランプ１４は、ガラス基板Ｐの筋入れ時に、ガラス基板Ｐの上面及び下面の方へ把持板１４Ｕ及び把持板１４Ｌが移動させられてガラス基板Ｐの上面及び下面の双方からガラス基板Ｐを把持し、そしてガラス基板Ｐの切断時にガラス基板Ｐを把持した状態で吸引ノッズル１８の方向に切断が生ずる角度だけガラス基板Ｐを回動させる機構である。
吸着テーブル１６は、テーブル移動機構（図示せず）によって図１の紙面方向に移動可能にされており、ガラス基板Ｐを吸着してその切断予定線Ｌをカッター１２の刃の真上に位置させるように構成されている。
【００３２】
吸引ノッズル１８は、その支持機構（図示せず）に取り付けられ、そのノッズル口が切断予定線上方に位置するように構成されている。吸引ノズル２１は、その排気ダクト口１８Ｍが排気ダクト２２を経て集塵部（図示せず）へ連通している。
ブローノッズル２０は、吸引ノッズル１８の吸気室の室壁１８Ｗとの間にノッズル口の吹き付け角度を吹き付け角度調整機構（図示せず）により調整可能に構成されている。ブローノズル２０は、給気ダクト２１を経て気体供給部（図示せず）に連通している。
上記吹き付け角度と後述するガラス屑の除去率とは、図３に示すような関係にあり、吹き付け角度の調整範囲は、２０乃至４０度で選定するのがよい。吹き付け角度を３０度に選定すると望ましい結果が得られる。
【００３３】
次に、図１乃至図３を参照して、この実施例についての動作を説明する。
プラズマディスプレイパネルを構成するのに必要な走査電極、維持電極等からなる形成物領域又はプラズマディスプレイパネルを構成するのに必要なデータ電極等からなる形成物領域が複数形成されたガラス基板Ｐが吸着テーブル１６によって吸着され、ガラス基板Ｐの１つの形成物領域とこれに隣り合う他の形成物領域との間の切断予定線Ｌをカッター１２の刃の真上へ移動される。
【００３４】
この移動完了後に、ガラス基板Ｐの形成物領域以外の基板領域をクランプ１４で把持する。
この状態において、カッター１２がガラス基板Ｐの上記移動方向とは直角にガラス基板Ｐの切断予定線上の一端から他端へ移動される。これにより、上記切断予定線Ｌに筋入れが行われる。
そして、クランプ１４は、筋入れされた切断予定線でガラス基板Ｐの切断が生じ得るのに必要な所定の角度だけ、図１の紙面上において時計式方向に回動される。この回動により、ガラス基板Ｐは、切断予定線Ｌに沿って切断される。
【００３５】
上述のようにして、ガラス基板Ｐは切断されるが、その切断の際に、ブローノズル２０からエアー、窒素等の気体が切断予定線に向けて吹き出される一方、吸引ノズル１８によって切断予定線を横切って流れるガラス屑混じりの気体流を吸引する。
ブローノズル２０の吹き出し口は、切断予定線全長に亘って形成されているから、吹き出し口から吹き出される気体流は、ガラス基板Ｐ上の切断予定線全域に亘って帯状に（カーテン状に）吹き付けられる。
その際の気体流の吹き付け角度は、２０乃至４０度のうちの選定された角度、好ましくは３０度に設定されている。
ブローノズル２０の吹き出し口と同様、吸引ノズル１８の吸引口も、切断予定線全長に亘って形成され、これと同時に、ガラス基板Ｐ上を流れて来るガラス屑混じりの帯状気体流に対する吸引ノッズル１８による吸引も生ぜしめられる。
【００３６】
上述したカーテン状の気体流の上述吹き付け角度での吹き出しと切断予定線に沿ったガラス屑混じりの気体流に対する吸引とにより、上記切断によって発生するガラス屑が、ブローノズル２０を通り過ぎてガラス基板Ｐ上に形成されている形成物（プラズマディスプレイパネルの走査電極等）の方へ飛散するのを飛躍的に防ぎつつ、そのガラス屑は、吸引ノズル１８の方へ推し遣られ、こうして吸引ノッズル１８の方へ推し遣られて来たガラス屑混じりの帯状気体流は、吸引ノズル１８によって吸引される。
これに加えて、吸引ノズル１８の吸気室の容積は大きいから、排気抵抗は小さく、吸引力の位置によるばらつきはない。
したがって、切断で発生するガラス屑が混じっている帯状気体流は、発生位置を問わず一様な吸引力で、吸引ノズル１８のノズル口から勢い良く吸気室へ吸込まれ、排気ダクト２２を経て集塵部へ排出されてそこに貯まる。
【００３７】
このようにして、ガラス基板Ｐの切断の際に発生するガラス屑は、効率良く除去される。また、このガラス屑の効率的な除去は、気体流をカーテン状にして得られるが、その際のカーテン効果がガラス屑のガラス基板の形成物上への飛散の低減にも相乗的に作用するから、ガラス屑のガラス基板の形成物上への飛散の低減度を高めることができる。
【００３８】
このように、この実施例の構成によれば、カーテン状の気体流をガラス屑の除去効果を高め得る吹き付け角度で吹き出すブローノズルを切断予定線に沿って配設すると共に、ブローノズルの働きによってガラス基板上を経て運ばれて来るガラス屑混じりの帯状気体流に対し吸引性を良く作用し得る構造の吸引ノズルを切断予定線に沿って配設する構成を採用しているから、ガラス基板の切断の際に発生するガラス屑を効率良く除去し得ると同時に、発生して来るガラス屑に作用するカーテン効果がガラス屑の除去に相乗的に作用するので、ガラス屑のガラス基板の形成物上への飛散の低減度を高めることができる。
【実施例２】
【００３９】
図４は、この発明の実施例２であるプラズマディスプレイパネルの製造に用いるガラス基板切断装置の拡大断面図である。
この実施例の構成が、実施例１のそれと大きく異なる点は、ガラス基板の形成物形成面と吸引ノズルのノイズ口との間隙を調整するようにした点である。
すなわち、この実施例のガラス板切断装置１Ａは、実施例１における吸引ノズル１８のノズル本体に間隙調整機構２４を設け、この間隙調整機構２４によりガラス基板Ｐの形成物形成面と吸引ノズル口との間隙を調整可能に構成したことにその特徴部分がある。
この構成以外のこの実施例の構成は、実施例１と同じであるので、同一の構成部分には同一の参照符号を付して、その逐一の説明は省略する。
【００４０】
次に、図４を参照して、この実施例についての動作について説明する。
この実施例におけるガラス基板Ｐの切断自体は、実施例１と同様なので、その逐一の説明は省略する。
上述した切断が行われるのに先立って、間隙調整機構２４によってガラス基板Ｐの形成物形成面と吸引ノズル口との間隙をガラス屑の除去効果を高め得る間隙に調整する。
その後に、ガラス基板Ｐの切断予定線にカッターで筋入れを行った後、クランプ（吸着パッド）１４でガラス基板Ｐの、図４の左側部分を把持しながら、図４の紙面上において時計式方向に回動させてガラス基板Ｐの切断を行う。
【００４１】
その切断で発生するガラス屑は、実施例１と同様にして除去される。ガラス屑の除去は、上述したように、ガラス基板の形成物形成面と吸引ノズル口との間隙が除去効果を高め得る間隙に調整されているから、ガラス屑の除去をより効率良く行うことができる。
【００４２】
このように、この実施例の構成によれば、ガラス基板の切断に先立って、ガラス基板の形成物形成面と吸引ノズル口との間隙を、除去効果を高め得る間隙に調整し得る構成としているから、カーテン効果も享受しつつガラス屑の除去をより効率良く行うことができる。
【実施例３】
【００４３】
図５は、この発明の実施例３であるプラズマディスプレイパネルの斜視図である。
この実施例は、実施例１又は実施例２のガラス基板切断装置によって製造されたガラス基板が組み込んで製造されるプラズマディスプレイパネル（ＰＤＰ）に係る。
【００４４】
このプラズマディスプレイパネルは、正面構造板３１と背面構造板３２とから成る。
正面構造板３１は、実施例１又は実施例２のガラス基板切断装置によって製造される第１透明ガラス基板３３と、第１透明ガラス基板３３の背面側に接合する透明誘電体層３４と、透明誘電体３４の背面側に接合する表面保護層３５とから構成されている。
第１透明ガラス基板３３と透明誘電体層３４との間には、走査電極３６と維持電極３７とが配置されている。走査電極３６と維持電極３７は、互いに平行に配置されている。走査電極３６と維持電極３７とは、それぞれ、透明電極とバス電極とで構成されている。透明誘電体層３４は、走査電極３６と維持電極３７を被覆している。
【００４５】
背面構造板３２は、実施例１又は実施例２のガラス基板切断装置によって製造される第２透明ガラス基板３８と、第２透明ガラス基板３８の正面側に接合する白色誘電体層３９と、白色誘電体層３９の正面側に接合する複数条の隔壁４１とから構成されている。
隔壁４１は、表示セルを区画している。第２透明ガラス基板３８と白色誘電体層３９との間には、データ電極４２が配置されている。データ電極４２は、走査電極３６と維持電極３７とに直交している。白色誘電体層３９は、データ電極４２を被覆している。隔壁４１の側面と白色誘電体層３９の正面側表面には、放電ガスの放電により発生する紫外線を可視光に変換する蛍光体層４３が形成されている。蛍光体層４３には、セル毎に３原色Ｒ、Ｇ、Ｂに塗り分けられている。
【００４６】
正面構造板３１と背面構造板３２は、互いの間に間隙が与えられて互いに密着して組み立てられている。その間隙の幅は、１００μｍの程度に設計される。正面構造板３１及び背面構造板３２の側面周辺は、封着材料で密封封止され、その間隙は密閉空間とされている。その密閉空間には、ヘリウム、ネオン、キセノン又はこれらを含む混合ガスが封入される。
背面構造板３２には、第２透明ガラス基板３８を貫通し、密閉空間で開口する通気管（図示せず）が通されている。その通気管の外側端開口は、排気・ガス充填装置（図示せず）に連通され、空気その他のガスがその開口から吸引されて排気された後にその開口から既述のガスが既述の密閉空間に注入され、その開口はその注入の後に加熱手段によりチップオンされてその開口端部が閉塞され、注入された既述のガスは密閉空間に密封的に充填される。
【００４７】
このような密閉性が要求されるプラズマディスプレイパネルの第１透明ガラス基板３３及び第２透明ガラス基板３８の側周面４４は、ガラス基板３１及びガラス基板３２の一面Ｐ１と直交し、特には、曲面でなく平面として形成されることが重要である。側周面４４は、実施例１又は実施例２のガラス基板切断方法によりガラス基板３１及びガラス基板３２の一面Ｐ１と直交し、かつ、平面に形成されている。その側周面には、融着用材料が塗布される。
【００４８】
このように、この実施例によれば、プラズマディスプレイパネルの製造に用いられるガラス基板は、実施例１又は実施例２のガラス基板切断方法により製造されているから、ガラス基板の側周面は、その平面と直交し、かつ、平面に形成されている上、形成物上へのガラス屑の付着は高度に除かれた、高性能のプラズマディスプレイパネルを提供することができる。
【実施例４】
【００４９】
図６は、この発明の実施例４であるプラズ表示装置の電気的構成を示す図である。
この実施例は、実施例１又は実施例２のガラス基板切断装置によって製造されたガラス基板が組み込んで製造されるプラズマディスプレイパネル（ＰＤＰ）を用いたプラズマ表示装置に係る。
【００５０】
すなわち、プラズマ表示装置５０は、アナログインタフェース５１とプラズマディスプレイパネルモジュール５２とで構成される。そのプラズマディスプレイパネルモジュール５２に、実施例１又は実施例２のガラス基板切断装置によって製造されたガラス基板が組み込んで製造されるプラズマディスプレイパネルが用いられている。
【００５１】
アナログインタフェース５１は、クロマデコーダを備えるＹ／Ｃ分離回路５３と、Ａ／Ｄ変換回路５４と、画像フォーマット変換回路５５と、ＰＬＬ回路５６を備える同期信号制御回路５７と、逆γ変換回路５８と、システムコントロール回路５９と、ＰＬＥ制御回路６１とから構成されている。
アナログインタフェース５１は、概括的に言えば、受信したアナログ映像信号（アナログＲＧＢ信号６２とアナログ映像信号６３）をディジタル映像信号６４に変換した後に、そのディジタル映像信号６４をプラズマディスプレイパネルモジュール５２に出力するものである。
【００５２】
より詳しくは、ＴＶチュナーから出力されたアナログ映像信号６３は、Ｙ／Ｃ分離回路５３でＲＧＢの各色の輝度信号に分離された後、Ａ／Ｄ変換回路５４でディジタル映像信号６４に変換される。ディジタル映像信号６４は、プラズマディスプレイパネルモジュール５２の画素構成とアナログ映像信号の画素構成とが異なる場合には、画像フォーマット変換回路５５でプラズマディスプレイパネル５２の画素構成の画像フォーマットに変換される。
【００５３】
アナログ映像信号６３には、Ａ／Ｄ変換用のサンプリングクロックとデータクロック信号は含まれていない。同期信号制御回路５７に含まれているＰＬＬ回路５６は、アナログ映像信号６３と同時に供給される水平同期信号を基準にしてサンプリングクロック６５とデータクロック信号６６を生成する。サンプリングクロック６５とデータクロック信号６６は、アナログインタフェース５１からプラズマディスプレイパネルモジュール５２へ供給される。
【００５４】
ＰＬＥ制御回路６１は、平均輝度レベルが所定値未満である場合には表示輝度を上昇させ、平均輝度レベルが所定値以上である場合には表示輝度を低下させる。
システムコントロール回路５９は、各種の制御信号６７を生成する。制御信号６７は、アナログインタフェース５１からプラズマディスプレイパネルモジュール５２へ供給される。
【００５５】
プラズマディスプレイパネルモジュール５２は、ディジタル信号処理・制御回路６８と、パネル部位６９と、ＤＣ／ＤＣコンバータを内臓するモジュール内電源回路７１とから構成されている。
このプラズマディスプレイパネルモジュール５２のパネル部位６９は、実施例１又は実施例２のガラス基板切断装置で製造されたガラス板を組み込んだプラズマディスプレイパネル３０を含んでいる。
【００５６】
ディジタル信号処理・制御回路６８は、入力インタフェース信号処理回路７２と、フレームメモリ７３と、メモリ制御回路７４と、ドライバ制御回路７５とから構成されている。
入力インタフェース信号処理回路７２にアナログインタフェース５１から入力されるディジタル映像信号６４の平均輝度レベルは、入力インタフェース信号処理回路７２の中の入力信号平均輝度レベル演算回路（図示せず）により計算されて適正ビット（例えば、５ビット）のデータとして出力される。アナログインタフェース５１により平均輝度レベルに対応して設定されるＰＬＥ制御データ７６は、入力インタフェース信号処理回路７２中の輝度レベル制御回路（図示せず）に入力される。
【００５７】
ディジタル信号処理・制御回路６８は、入力インタフェース信号処理回路７２で上述の信号を処理してその処理後制御信号７７をパネル部位６９に出力する。
メモリ制御回路７４及びドライバ制御回路７５は、処理後制御信号７７の送信と同時に、それぞれメモリ制御信号７８及びドライバ制御信号７９を生成してパネル部位６９に出力する。
【００５８】
パネル部位６９は、プラズマディスプレイパネル３０と、走査電極３６（図５参照）を駆動する走査ドライバ（パネル部位６９と同体に実装されている）８１と、データ電極４２（図５参照）を駆動するデータドライバ（パネル部位６９と同体に実装されている）８２とから構成されている。
パネル部位６９は、更に、プラズマディスプレイパネル３０、走査ドライバ８１及びデータドライバ８２にパルス電圧を供給する高圧パルス回路８３を備えている。高圧パルス回路８３は、パネル部位６９の一部分としてパネル部位６９の複数部位に配置されて実装されている。
【００５９】
プラズマディスプレイパネル３０は、行列に配列された１３６５×７６８個の画素を有している。
プラズマディスプレイパネル３０では、走査ドライバ８１が走査電極３６を制御し、データドライバ８２がデータ電極４２を制御することにより、その個数の画素のうちの所定の画素の点灯又は非点灯の制御を実行して所定の表示を行う。
【００６０】
ロジック電源（図示せず）は、電力入力端子８４を介して、ディジタル信号処理・制御回路６８とパネル部位６９にロジック電力を供給する。モジュール内電源回路７１は、表示用電源（図示せず）から電力入力端子８５を介して直流電源を供給され、その直流電源の電圧を所定の電圧に変換してパネル部位６９に供給している。
【００６１】
プラズマディスプレイパネル３０、走査ドライバ８１、データドライバ８２及び高圧パルス回路８３は、電力回収回路８６と共に、パネル部位６９の本体と共通の１枚の基板上に配置されて一体的に実装構成されている。ディジタル信号処理・制御回路６８は、パネル部位６９から分離され機械的には独立して形成されている。
【００６２】
モジュール内電源回路７１は、ディジタル信号処理・制御回路６８とパネル部位６９とから分離され機械的には独立して形成されている。
ディジタル信号処理・制御回路６８とパネル部位６９とモジュール内電源回路７１とは、１つのモジュール、すなわち、プラズマディスプレイパネルモジュール５２として組み立てられている。
アナログインタフェース５１は、プラズマディスプレイパネルモジュール５２から分離され機械的には独立して構成されている。
プラズマディスプレイパネルモジュール５２は、制御信号６７、ディジタル映像信号６４、サンプリングクロック６５、データクロック信号及びＰＬＥ信号並びにその他の信号を供給する電気配線により電気的にアナログインタフェース５１と接続されている。
【００６３】
アナログインタフェース５１とプラズマディスプレイパネルモジュール５２とが別個に製造された後に、アナログインタフェース５１とプラズマディスプレイパネルモジュール５２とが１つの示装置筐体内に組み込まれ、固定されてプラズマ表示装置として組み立てられる。
このように、モジュール化されるプラズマ表示装置５０は、アナログインタフェース５１とプラズマディスプレイパネル５２とをその他の機器部分とは別個に製造することができる。
【００６４】
このように、この実施例によれば、実施例１又は実施例２の切断方法により製造されるガラス基板を用いるプラズマディスプレイパネルを使用してプラズマ表示装置の製造をしているから、表示性能の良いプラズマ表示装置を提供することができる。
また、プラズマディスプレイパネルモジュールを別個に製造し、交換可能にすれば、表示性能を享受しつつ、プラズマ表示装置の補修を簡素化し、その補修時間の短縮化を達成することができる。
【００６５】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上述のいずれの実施例においても、ブローノズルの吹き出し位置を固定にした例を説明したが、所定の距離範囲で調整可能に構成してもよい。
また、上述したブローノズルの吹き出し口の吹き出し角度の調整に加えて、吸引ノズルの吸引口の吸引角度を最適値に調整可能に構成してもよい。
【００６６】
これらの調整に合わせてブローノズルの吹き出し口及び／又は吸引ノズルの吸引口の大きさを最適値に調整可能にしてもよい。
さらに、これらにノズル口とガラス基板の形成物形成面との間の間隙の調整を考慮に入れて調整し得るようにしてもよい。
【００６７】
また、ガラス屑の除去機構は、ガラス基板の切断の際にガラス屑が発生してしまう他の形式のガラス基板切断装置においても実施し得る。
【産業上の利用可能性】
【００６８】
ここに開示しているガラス板切断方法及びその装置は、ガラス基板以外の通常の板ガラスの切断の際にガラス屑が発生し、その除去を必要とする他のガラス板切断装置においても利用し得る。
【図面の簡単な説明】
【００６９】
【図１】この発明の実施例１であるプラズマディスプレイパネルの製造に用いるガラス基板切断装置の拡大断面図である。
【図２】同ガラス基板切断装置の要部の斜視図である。
【図３】同ガラス基板切断装置で用いるブローノズルのノズル角度対残存率を示す図である。
【図４】この発明の実施例２であるプラズマディスプレイパネルの製造に用いるガラス基板切断装置の拡大断面図である。
【図５】この発明の実施例３であるプラズマディスプレイパネルの斜視図である。
【図６】この発明の実施例４であるプラズ表示装置の電気的構成を示す図である。
【図７】ガラス屑の除去機能を備えたガラス基板の切断装置の構成例の斜視図である。
【図８】同ガラス基板切断装置の構成例の拡大断面図である。
【符号の説明】
【００７０】
１、１Ａ      ガラス基板の切断装置
Ｐ      ガラス基板
１２      カッター（形成手段の一部）
１４      クランプ（印加手段）
１６      吸着テーブル（形成手段の残部）
１８      吸引ノズル（吸引手段の一部）
２０      ブローノズル（吹き付け手段）
２２      排気ダクト（吸引手段の残部）
２４      間隙調整機構
【図１】
2006089325.tif 000003
【図２】
2006089325.tif 000004
【図３】
2006089325.tif 000005
【図４】
2006089325.tif 000006
【図５】
2006089325.tif 000007
【図６】
2006089325.tif 000008
【図７】
2006089325.tif 000009
【図８】
2006089325.tif 000010